(57)【要約】【課題】  二次元コードリーダは、携帯電話に多く実装され、情報アクセスや会員登録等の際に多く用いられている。一方、企業や店舗等においては磁気ストライプカードリーダやＩＣチップリーダが普及し、業務用機器としての信頼性と操作性が確立されている。このような環境下において、企業や店舗等が発行するデータカードについて更に二次元コードの利点を享受するには、企業や店舗等は二次元コードリーダを用意する必要があり、費用や設置場所、操作において重複した負担を強いられる。【解決手段】  磁気ストライプ又はＩＣチップと二次元コードとをクレジットカードサイズ又は小型化したサイズのカード上で組み合わせることにより、これら課題を解決するデータカードを提供する。【選択図】図１
0003106827.tif 000002
【実用新案登録請求の範囲】
【請求項１】
磁気ストライプやＩＣチップを含む、情報格納手段と、
会員登録用のメールアドレス、又は会員ナンバーごとに割り当てた登録コード、若しくは引数を付したＵＲＬ、あるいは引数を付さないＵＲＬ、をデータ化した二次元コードとを、
クレジットカード大またはこれを小型化したものを含む、一枚のカードに併記したことを特徴とするデータカード。
【考案の詳細な説明】
【技術分野】
【０００１】  本発明は、磁気ストライプやＩＣチップなどの情報格納手段を有するカードに、携帯電話に搭載され個人が自ら操作することのできる二次元コードを表記したカードに関する。
【背景技術】
【０００２】  飲食店や販売店において、主に集客や顧客の固定化を目的に会員カードを発行している。会員カード発行の際、会員となる者は申込用紙に必要事項を記入し、店舗側はその記入事項を電子データ化し、これら情報を磁気ストライプやＩＣチップなどに格納することで、会員を識別、管理するのが一般的である。また、近年、携帯性を向上させる目的で従来のクレジットカードを小面積化した小型データカードの普及が進められている。
【考案の開示】
【考案が解決しようとする課題】
【０００３】  二次元コードリーダは、携帯電話に多く実装され、個人が自ら操作することが可能であり、二次元コードは情報アクセス、会員登録等の際に多く用いられている。他方、磁気ストライプを付したカードは、クレジットカードとして広く流通し、また、既に多くの店舗等に採用されており、販売時点情報管理方式（ＰＯＳ）端末装置などの磁気ストライプカードリーダは業務用機器としての信頼性と操作性が確立され、広く普及しており、ＩＣチップを付したカードもこれに追随している。そして、近年は従来の標準的なカードのおよそ半分の大きさにした小型データカードの普及も進もうとしている。しかし、このような環境下で、店舗等が二次元コードを付したカードを採用する場合には、既存の磁気ストライプカードリーダやＩＣチップリーダとは別個に二次元コードリーダを用意する必要があり、費用や設置場所、操作において重複した負担を強いられることとなる。【０００４】  また、二次元バーコードは、会員情報データベースにアクセスするためのＵＲＬを表示することが可能であり、会員は、自分の携帯電話を使って会員カード上の二次元バーコードを読み取ることにより、会員情報登録やポイント確認を行うことができる。また、通常、会員カードからは、会員は記録し蓄積され自らの個人情報にアクセスすることができない、という欠点があり、このように本来携帯電話若しくは携帯電話の情報アクセス方法である携帯ホームページや携帯メールとの関係性が希薄であるクレジットカードやクレジットカードサイズの会員カード形式の会員制度を採用し、個人情報を登録用紙に記入する形での運用を行うと、電子メールアドレスを登録してもらえないことが多い。企業や店舗等が運営するホームページにおいて別個登録させることで会員自らが個人情報にアクセス可能とする場合もあるが、この場合も改めて個人情報を入力し登録する煩わしさがある。本考案は、磁気ストライプやＩＣチップと二次元コードとの利点をクレジットカードまたはクレジットカードサイズのデータカード、若しくは小型データカード上で組み合わせることにより、これら課題を解決するデータカードを提供する。【０００５】  また、同様な理由で、銀行や郵便局が発行する磁気ストライプ付き若しくはＩＣチップ付きのキャッシュカード、又は消費者金融が発行するキャッシングカードについても、上記の様な二次元コードの併記はＡＴＭやＣＤ機の利用促進に有用である。
【課題を解決するための手段】
【０００６】  カード所持者は携帯電話に搭載された二次元コードリーダによって、企業や店舗等は既存の磁気ストライプカードリーダまたはＩＣチップリーダによって情報の管理等を行うべく、磁気ストライプ又はＩＣチップを付したクレジットカード又はクレジットカード大の各種データカード、若しくはこれらを小型化したデータカードに二次元コードを併設する。
【考案の効果】
【０００７】  会員は、会員登録から個人情報の管理、会員特典の確認や店舗情報の入手などをデータカードを媒介として、携帯電話によって行うことができる。【０００８】  また、それら効果を受けるために前提となる個人認証を二次元コード化し、クレジットカード又はクレジットカード大の各種データカードに表示することで、携帯性が向上する。【０００９】  更に、これらデータカードは小型化することにより、携帯性はより高めることができる。【００１０】  店舗等は、従来の磁気ストライプ又はＩＣチップによる会員向けサービス及び管理の経済性や操作性を損なうことなく、会員登録と会員の電子メールアドレス取得を容易化し、会員ナンバーと会員の電子メールアドレスとを関連付けて管理することができる。【００１１】  店舗は、二次元コードリーダの追加投資が不要となる。【００１２】  クレジットカード又は会員カード形式でありながら、携帯電話、携帯メールとの関係性を印象付けることができ、携帯メールアドレスが取得しやすくなる。【００１３】  クレジットカードは広く普及しているが、磁気ストライプを付したカードは偽造の多発により、安全性の高いＩＣチップへの移行が進められている。また、携帯性を向上させる為に小型化したクレジットカードの普及も進められている。すなわち、クレジット会社が自社の費用で普及を進めるであろうＩＣチップ化や小型化に二次元コード表記を併せることによって、二次元コード表記のカードをクレジットカードの普及規模へと容易に移行させることができる。
【考案を実施するための最良の形態】
【００１４】  クレジットカード大のデータカード、若しくはこれらを小型化したデータカードに、会員を識別する為に割り振る会員ナンバーを磁気ストライプ又はＩＣチップに格納する。加えて、会員登録用のメールアドレス、又は会員ナンバーごとに割り当てた登録コード、若しくは引数を付したＵＲＬ、あるいは引数を付さないＵＲＬ、をデータ化し二次元バーコード表示する。併せて、会員ナンバー、会員登録用のメールアドレス、会員登録用のＵＲＬを表示する。更に、会員ナンバーごとに割り当てた登録コードを表示する。【００１５】  店頭等において配布する当該会員カード１に、会員登録用の電子メールアドレス等が二次元コード表示される場合、会員となる者は携帯電話に搭載される二次元コードリーダにより当該二次元コード３を読み込み、会員登録用の電子メールアドレス宛に登録コード４を入力して送信し、当該登録コード４が認証されると会員登録が完了する。その際、店舗等では受信した電子メールの送信元電子メールアドレスを取得することで、会員ナンバーと会員の電子メールアドレスとを関連付けて管理することが可能となる。この場合、会員カード発行の際に付される二次元コードは会員ごとに差異を設ける必要がなく一種類で足る。【００１６】  尚、当該電子メールアドレスに加え会員ナンバー等をデータ化し二次元コードに埋め込む場合には、会員ごとに異なる二次元コードが付される。【００１７】  店頭等において配布する当該会員カード１に、引数を付さないＵＲＬが二次元コード表示される場合、会員となる者は携帯電話に搭載される二次元コードリーダにより当該二次元コード３を読み込み、ＵＲＬにアクセスし、登録コード４を入力して、当該登録コード４が認証されると会員登録が完了する。この場合、会員カード発行の際に付される二次元コードは会員ごとに差異を設ける必要がなく一種類で足る。【００１８】  店頭等において配布する当該会員カード１に、引数を付したＵＲＬが二次元コード表示される場合、会員となる者は携帯電話に搭載される二次元コードリーダにより当該二次元コード３を読み込み、引数により特定されたＵＲＬにアクセスし会員登録する。会員となった後は、店舗等においては従来通り磁気ストライプ又はＩＣチップにより会員を識別、管理を行い、会員においては二次元コードを読み込み、ＵＲＬにアクセスすることで店舗等が提供するポイントサービスの内容確認や個人情報の変更を自らが随意に行う。【００１９】  店頭等において配布する当該会員カード１の使用に際し、会員となる者の携帯電話に二次元コードリーダ機能が搭載されていない場合、会員カード１に表示される電子メールアドレス宛に会員ナンバー２及び登録コード４を入力して送信し、両者が符合すると会員登録が完了する。その際、店舗等では受信した電子メールの送信元電子メールアドレスを取得することで、会員ナンバーと会員の電子メールアドレスとを関連付けて管理することが可能となる。【００２０】  尚、図１では磁気ストライプと二次元コードとを同一面に設けているが、これに限定するものではなく、一方を表面又は裏面に設けてもよい。
【図面の簡単な説明】
【００２１】
【図１】本考案の実施例を示す全体図。
【符号の説明】
【００２２】  １会員カード
２磁気ストライプ
３二次元コード
４登録コード
【図１】
0003106827.tif 000003